(57)【特許請求の範囲】
【請求項１】
カメラ等の小物類に繋がれるベルト状で幅細の繋ぎ部材が当該繋ぎ部材よりも幅広で帯状のベルト部材に連結固定され、肩や首に掛けてカメラ等の小物類を吊り下げるストラップであって、前記ベルト部材が、熱可塑性の糸によって所定幅に編成された経編生地とされ、前記経編生地を加熱しながら矯正することで肩や首周りに沿うような扇形状のカーブが形成されており、前記ベルト部材を二つ折りした場合に各々一致する面対称形状となるように前記ベルト部材と前記繋ぎ部材とが連結部材を介して一繋がりで連結固定されていることを特徴とするカーブ付ストラップ。
【請求項２】
前記繋ぎ部材が布または皮革からなり、かつ、前記連結部材が布または皮革であることを特徴とする請求項１記載のカーブ付ストラップ。
【請求項３】
使用者が前記ベルト部材の外周側を首に近い側として肩に掛けて立ったときに前記繋ぎ部材が鉛直となるような向きで連結固定されていることを特徴とする請求項１または２記載のカーブ付ストラップ。
【発明の詳細な説明】
【技術分野】
【０００１】
本発明は、肩や首に掛けてカメラやバッグ等の物品を吊り下げるストラップに関する。
【背景技術】
【０００２】
カメラや携帯情報端末等の携帯電子機器、バッグやポーチ等の小物類など、持ち運んでその場で適宜使用することがある物品は、一般にストラップ（又はショルダーストラップ）と呼称される連結式のベルトが繋がれており、このストラップを肩に掛けて吊り下げたり、首に掛けて吊り下げたりして身に着ける構成となっている。なお、本明細書では、肩や首に掛けて物品を吊り下げる帯やベルト等をストラップと表現する。
【０００３】
前記ストラップは身に着けることから、着け心地の良さや柔軟性が求められ、その材質としては、一般に、編物、織物、皮革、合成樹脂等が用いられている。
【０００４】
特許文献１は、ショッピングバッグ等を持ち運ぶ際に使用するストラップ（肩掛けベルト）に関し、ストレートなベルトをループ状にして両端側にそれぞれ取付けた係着突起（連結金具）を吊り下げ帯の上端に取付けた接続部に係止させ、吊り下げ帯の下端に取付けた把持具を把持する等して吊り下げ帯の途中にショッピングバッグ等を引っ掛けることが記載されている（請求の範囲、図１等）。
【０００５】
特許文献２は、撮像機器用キャリングバッグを持ち運ぶ際に使用するストラップ（肩掛けベルト）に関し、ストレートなベルトをＵ字状にして両端側にそれぞれ取付けた四角枠状の金具をフックを介してキャリングバッグ両側の掛け金具に取付ける構成が記載されている（請求項５、図３等）。
【０００６】
特許文献３は、カメラ用ストラップ（肩掛けベルト）に関し、図７に示すように、カメラに繋がれる幅細の紐状部材２００ａが幅広の帯状部材２００ｂに連結固定され、一本のストレートなベルト状のストラップ２００となっている構成が記載されている（その段落００３１等）。
【先行技術文献】
【特許文献】
【０００７】
【特許文献１】実開平５−６３３２６号公報
【特許文献２】特開２００９−４５２６４号公報
【特許文献３】特開２０１０−２４９９４３号公報
【発明の開示】
【発明が解決しようとする課題】
【０００８】
従来のストラップ（肩掛けベルト）は、主に２通りの構造があり、特許文献１，２記載のような、ストレートな帯状のベルトにベルト金具を取付けて、このベルト金具を中継金具を介してカメラやバッグ等の物品に配された物品金具と連結させることで、カメラやバッグ等が動いても肩や首に掛けたベルトがあまり動かないように自由度を持たせた金具による連結構造となっているか、又は、特許文献３記載のような、カメラやバッグ等に繋がれる幅細の紐状部材が幅広の帯状部材に連結固定され、一本のストレートなベルト状となっている。特許文献１，２記載の構造は重量が比較的大きな物品を吊り下げるのに適しており、特許文献３記載の構造はそれよりも重量が比較的小さな物品を吊り下げるのに適している。
【０００９】
しかしながら、特許文献１，２記載の金具による連結構造は、金具同士の動きによっては着衣が噛み込むことがある。また、金具を取付けることで、重くなり、部品点数も多くなってしまう。
また、身体において、肩は傾斜しており、首周りは周回していることから、特許文献３記載のようなストレートで帯状のベルトを肩や首に掛けると、帯状ベルトの首に近い側が肩や首に強く当たり、帯状ベルトの首から遠い側との間で隙間ができてしまうことから、カメラやバッグ等の重量によっては肩周りや首周りが痛くなる。また、帯状ベルトの肩や首との当接部に局所的に力がかかるため帯状ベルトが歪み易くなる。このため、ベルトに肩当てを付設することが一般的となっているが（特許文献１，２）、大掛かりとなってしまい、デザインの自由度も制限される。
そして、市販されているカメラのカタログを見ると、ストラップを身体の片側の肩に掛けて斜め掛けする着け方か（たすき掛けとも称されることがある）、又は、ストラップを首周りに沿わせて掛ける着け方は記載されているが、ストラップを身体の片側の肩に掛けてそのまま真っ直ぐに吊り下げる着け方は記載されておらず、このことは、従来のストラップを身体の片側の肩に掛けてそのまま真っ直ぐに吊り下げる着け方をすると、身体との間で隙間ができてしまい、肩が傾斜していることで、ストラップが肩からずり落ちる虞があるため、あまり好ましい着け方ではないということが一般的になっていることを裏付けているものと考える。
【００１０】
図８は、従来のストラップ２００をカメラＣＡに繋いで、片側の肩に掛けてそのまま真っ直ぐに吊り下げる着け方をした場合の使用状態を示す斜視図である。図８（ａ）は全体的に表した図であり、図８（ｂ）は、点線で囲んだ箇所を拡大して示している。従来のストラップ２００はストレート形状であることから、カメラＣＡを繋いだ状態で従来のストラップ２００を身体の片側の肩に掛けてそのまま真っ直ぐに吊り下げる着け方をすると、肩の首から遠い側（腕の付け根側）とストラップ２００との間で隙間Ｓ１ができてしまい、カメラＣＡの重量が鉛直よりもやや斜め外側方向（符号Ｆ２で示す方向）の外力となってストラップ２００にかかるため、ストラップ２００が肩からずり落ち易くなる（図８（ｂ））。
【００１１】
そこで、本発明の目的は、肩に掛けたときに身体にフィットして肩からずり落ち難く、デザイン上もシンプルで好ましいストラップ（肩掛けベルト）を提供することにある。
【課題を解決するための手段】
【００１２】
本発明のカーブ付ストラップは、カメラ等の小物類に繋がれるベルト状で幅細の繋ぎ部材が当該繋ぎ部材よりも幅広で帯状のベルト部材に連結固定され、肩や首に掛けてカメラ等の小物類を吊り下げるストラップであって、前記ベルト部材が、熱可塑性の糸によって所定幅に編成された経編生地とされ、前記経編生地を加熱しながら矯正することで肩や首周りに沿うような扇形状のカーブが形成されており、前記ベルト部材を二つ折りした場合に各々一致する面対称形状となるように前記ベルト部材と前記繋ぎ部材とが連結部材を介して一繋がりで連結固定されていることを特徴とする。
【００１３】
本発明によれば、肩や首周りに沿うような扇形状のカーブが形成された帯状のベルト部材とすることで、肩や首に掛けたときに前記ベルト部材が身体にフィットし、ベルト部材の歪みもなくなり、肩からずり落ち難くなる。そして、肩周りや首周りが痛くなることが軽減され、着け心地が良好なものとなる。
【００１４】
前記繋ぎ部材がカメラやバッグ等の物品に繋がれた状態での、本発明のストラップの着け方としては、３通りの方法が挙げられる。第１の方法は、使用者が前記ベルト部材の外周側を首に近い側として肩に掛けてそのまま真っ直ぐに吊り下げて使用する方法である。本発明によれば、肩に掛けたときの前記ベルト部材の外周側と内周側との傾斜が、肩の傾斜と、概ね一致するので、前記ベルト部材が身体にフィットし、歪みもなくなり、肩からずり落ち難くなる。第２の方法は、使用者が前記ベルト部材の内周側を首に近い側として首周りに沿わせてそのまま真っ直ぐに吊り下げて使用する方法である。本発明によれば、首に掛けたときの前記ベルト部材の内周側から外周側への広がり具合が、首の付け根から肩にかけての広がり具合と、概ね一致するので、前記ベルト部材が身体にフィットし、歪みもなくなり、首の付け根にかかる負担が軽減される。そして、第３の方法は、使用者が前記ベルト部材の内周側を首に近い側として肩に掛けて、斜め掛けして（たすき掛けのようにして）吊り下げて使用する方法である。この場合は、従来のストレート形状のストラップと同様となり、ストラップを斜め掛けしたときの傾斜が肩の傾斜に合うように斜め掛けの角度を適宜調整すればよい。本発明のストラップの着け方としては、使用者が前記ベルト部材の外周側を首に近い側として肩に掛けてそのまま真っ直ぐに吊り下げて使用する方法（第１の方法）において、ストラップが肩からずり落ち難くなる点に大きな特徴がある。
【００１５】
前記ベルト部材の材質としては、布（編物や織物）、皮革、合成樹脂、ゴム板等が挙げられる。また、前記繋ぎ部材としては、帯、ベルト、紐、ストラップ等が挙げられ、その材質としては、布（編物や織物）、皮革、合成樹脂等が挙げられる。前記繋ぎ部材の前記ベルト部材への組み付け方法としては、縫製、溶着、カシメ（金具やリベット止め）等が挙げられる。
【００１６】
前記カーブの形成方法としては、布（編物や織物）や皮革をカーブ形状に裁断する方法、合成樹脂やゴム板を金型成形する方法、熱可塑性の糸で編成された編物生地を加熱しながら矯正してカーブを形成する方法、が挙げられる。
【００１７】
前記繋ぎ部材が紐状のストラップの場合、自由自在に曲がることから、前記繋ぎ部材がカメラやバッグ等の物品に繋がれた状態で、使用者が前記ベルト部材の外周側を首に近い側として肩に掛けて立ったときに、カメラやバッグ等の物品に重力が作用し前記繋ぎ部材の取付け位置が多少傾いていたとしても前記繋ぎ部材が途中から鉛直方向となる。この構成の場合には、前記繋ぎ部材が自由自在に曲がることから、身体の揺れに応じてカメラやバッグ等の物品が大きく揺れる場合がある。
【００１８】
そこで本発明では、前記繋ぎ部材が帯状のベルトであり、使用者が前記ベルト部材の外周側を首に近い側として肩に掛けて立ったときに前記繋ぎ部材が鉛直となるような向きで連結固定されていることが好ましい。本発明によれば、前記繋ぎ部材が帯状のベルトであることで、前記繋ぎ部材が曲がる向きが制限され、身体が多少揺れてもカメラやバッグ等の物品が大きく揺れることがない。そして、使用者が前記ベルト部材の外周側を首に近い側として肩に掛けて立ったときに前記繋ぎ部材が鉛直となるような向きで連結固定されていることで、カメラやバッグ等の物品に作用する重力に対して前記繋ぎ部材が最初から素直に鉛直方向となり、前記ベルト部材が身体にフィットした状態でカメラやバッグ等の物品を鉛直に吊り下げることとなる。
なお、ここで、前記繋ぎ部材が鉛直となるような向きで連結固定されているとは、組み付け角度を厳密に規定するということではなく、前記ベルト部材への前記繋ぎ部材の組み付けばらつきの許容範囲内であって、前記ベルト部材を装着させる身体の形状ばらつきの許容範囲内となっていればよしとしている。つまり、鉛直となる角度を９０度とすると、本明細書では、前記繋ぎ部材が７５度から１０５度の範囲内であれば、前記繋ぎ部材が鉛直となるような向きで連結固定されているとしている。
【００１９】
本発明は、前記カーブの接線と前記繋ぎ部材の中心線とが平行となるような向きで前記繋ぎ部材の一端が前記ベルト部材の一端に連結固定されていることが好ましい。
【００２０】
本発明によれば、使用者が前記ベルト部材の外周側を首に近い側として肩に掛けて立ったときに前記繋ぎ部材が素直に鉛直となり、前記ベルト部材が身体にフィットした状態でカメラやバッグ等の物品を鉛直に吊り下げることとなる。
なお、ここで、前記カーブの接線と前記繋ぎ部材の中心線とが平行となるような向きで前記繋ぎ部材の一端が前記ベルト部材の一端に連結固定されているとは、組み付け角度を厳密に規定するということではなく、前記ベルト部材への前記繋ぎ部材の組み付けばらつきの許容範囲内であって、前記ベルト部材を装着させる身体の形状ばらつきの許容範囲内となっていればよしとしている。つまり、平行となる角度を１８０度とすると、本明細書では、前記カーブの接線と前記繋ぎ部材の中心線とがなす角度が１６５度から１９５度の範囲内であれば、前記カーブの接線と前記繋ぎ部材の中心線とが平行となるような向きで前記繋ぎ部材の一端が前記ベルト部材の一端に連結固定されているとしている。
【００２１】
本発明は、前記ベルト部材の両端には、それぞれ前記繋ぎ部材が配されており、これら前記繋ぎ部材の中心線同士が一致するように連結固定されていることが好ましい。
【００２２】
本発明によれば、前記ベルト部材の両端に、それぞれ前記繋ぎ部材が配されており、これら前記繋ぎ部材の中心線同士が一致するように連結固定されているので、前記繋ぎ部材がカメラやバッグ等の物品に繋がれた状態での重量バランスが良くなり、使用者が前記ベルト部材の外周側を首に近い側として肩に掛けて立ったときに、前記ベルト部材が身体にフィットするフィット感がさらに良好なものとなる。
【００２３】
本発明は、前記ベルト部材を二つ折りした場合に前記カーブ並びに前記繋ぎ部材の中心線同士が一致するように形成されていることが好ましい。本発明によれば、面対称形状となるので、前記ベルト部材を肩や首に掛けたときの形状バランスが良くなり、前記ベルト部材が身体にフィットするフィット感がさらに良好なものとなる。
【００２４】
本発明は、前記ベルト部材が、所定幅に形成された経編生地であることを特徴とする。
【００２５】
本発明によれば、前記ベルト部材が所定幅に形成された経編生地であることで、長手方向の伸縮性に優れたベルト部材となり、肩や首に前記ベルト部材を掛けてカメラやバッグ等の物品を吊り下げて歩行した場合に前記物品が上下に揺れることを経編生地の伸縮性によって吸収し身体への負荷が小さくなる。
【００２６】
本発明は、前記ベルト部材と前記繋ぎ部材とが連結部材を介して連結固定されている構成としても良い。前記連結部材を前記ベルト部材に取付けることで、前記ベルト部材と前記繋ぎ部材との連結固定がより確実なものとなり、取付け強度が向上する。前記連結部材としては、布（編物や織物）、皮革、合成樹脂等が挙げられる。前記連結部材の前記ベルト部材への組み付け方法としては、縫製、溶着、カシメ（金具やリベット止め）等が挙げられる。
【００２７】
本発明は、前記ベルト部材と前記繋ぎ部材とが連結部材を介して連結固定されており、前記連結部材が布または皮革であることを特徴とする。
【００２８】
本発明によれば、前記ベルト部材と前記繋ぎ部材とが連結部材を介して連結固定されていることで、前記ベルト部材と前記繋ぎ部材との連結固定がより確実なものとなり、取付け強度が向上する。そして、前記連結部材が布（編物や織物）または皮革であることで、さらに見映えが良くなり、その動きもしなやかな動きとなる。
【００２９】
本発明は、前記カーブのうち、外周側カーブの周長さが５００〜１０００ｍｍであり、外周側カーブの周長さが内周側カーブの周長さの１．０１〜１．３０倍に設定されることを特徴とする。
【００３０】
本発明によれば、前記外周側カーブの周長さが５００〜１０００ｍｍであることで、使用者が前記ベルト部材の外周側を首に近い側として肩や首に掛けて立ったときに、カメラやバッグ等の物品が身体の腰の辺りになるように調節することが容易であり、また、前記外周側カーブの周長さが内周側カーブの周長さの１．０１〜１．３０倍に設定されることで、使用者が前記ベルト部材の外周側を首に近い側として肩や首に掛けて立ったときに、前記ベルト部材がちょうど身体にフィットした状態となる。
【発明の効果】
【００３１】
本発明によれば、肩や首周りに沿うような扇形状のカーブが形成された帯状のベルト部材とすることで、肩や首に掛けたときに前記ベルトが身体にフィットし、歪みもなくなるので肩周りや首周りが痛くなることがなく、着け心地が良好なものとなる。本発明によれば、使用者が前記ベルト部材の外周側を首に近い側として肩に掛けて立ったときに前記繋ぎ部材が素直に鉛直となり、前記ベルト部材が身体にフィットした状態でカメラやバッグ等の物品を鉛直に吊り下げることとなる。
【００３２】
本発明によれば、前記ベルト部材が所定幅に形成された経編生地であることで、長手方向の伸縮性に優れたベルト部材となり、肩や首に前記ベルト部材を掛けてカメラやバッグ等の物品を吊り下げて歩行した場合に前記物品が上下に揺れることを経編生地の伸縮性によって吸収し身体への負荷が小さくなる。
【図面の簡単な説明】
【００３３】
【図１】本発明の第１の実施形態のカーブ付ストラップを示す正面図である。
【図２】上記実施形態のカーブ付ストラップの側面図である。
【図３】上記実施形態のカーブ付ストラップのベルト部材を示す正面図である。
【図４】本発明の第２の実施形態のカーブ付ストラップを示す正面図である。
【図５】上記実施形態のカーブ付ストラップの側面図である。
【図６】上記第１の実施形態のカーブ付ストラップを肩に掛けた使用状態を示す斜視図である。
【図７】従来のストラップを示す正面図である。
【図８】上記従来のストラップを肩に掛けた使用状態を示す斜視図である。
【発明を実施するための形態】
【００３４】
以下、本発明を実施するための形態を図面を引用しながら説明する。
【００３５】
（第１の実施の形態）
図１は本発明を適用した第１の実施形態のカーブ付ストラップを示す正面図であり、図２はその側面図である。本実施形態のカーブ付きストラップ１は、カメラ用のストラップであり、幅広で帯状のベルト部材２と、その両端側にそれぞれ配された幅細の繋ぎ部材３，３とを備え、前記ベルト部材２と前記繋ぎ部材３とが連結部材４を介して連結固定されている構成である。
【００３６】
前記ベルト部材２は、幅広で帯状のベルト形状となっており、ポリエステルやナイロン等の糸を編成し所定幅Ｗ１に形成された経編生地からなり、前記ベルト部材２には肩や首周りに沿うような扇形状のカーブが形成されている（図１、図３）。前記繋ぎ部材３は、ベルト部材２よりも幅細で帯状のベルト形状であり、ポロプロピレンやナイロン、ポリエステル等で編織された生地からなり、その長さを調節するための調節具５（日の字型リング）が付設されている（図１、図２）。前記連結部材は、布または皮革からなるシート状の生地からなり、その生地を上下に２枚重ねるようにして前記ベルト部材２の一端と前記繋ぎ部材３の根元側とを挟み込んで、縫製することで連結固定されて一繋がりの帯状ベルトとなっている。
【００３７】
前記ベルト部材２は、熱可塑性の糸で編成された帯状の経編生地を加熱しながら所定のカーブとなるように矯正することで前記扇形状のカーブを形成している（図１、図３）。ベルト部材２の幅Ｗ１は、２０〜１００ｍｍの範囲内に設定され、肩に掛けるのに適正な範囲内としている。前記カーブのうち、外周側カーブ２ｂの周長さＬ１は５００〜１０００ｍｍに設定され、外周側カーブ２ｂの周長さＬ１が内周側カーブ２ａの周長さＬ２の１．０１〜１．３０倍に設定されている（図３）。外周側カーブ２ｂと内周側カーブ２ａとは対応しており、ベルト部材２の幅Ｗ１は、一定値となっている。
【００３８】
本実施形態によれば、使用者が前記ベルト部材２の外周側２ｂを首に近い側として肩に掛けて立ったときに、カメラやバッグ等の物品が身体の腰の辺りになるように調節することが容易であり、使用者が前記ベルト部材２の外周側２ｂを首に近い側として肩に掛けて立ったときに、ベルト部材２がちょうど身体にフィットし、肩との間に隙間のない状態となる（図６）。そして、前記ベルト部材２が所定幅に形成された経編生地であることで、長手方向の伸縮性に優れたベルト部材２となり、肩や首にベルト部材２を掛けてカメラＣＡを吊り下げて歩行した場合にカメラＣＡが上下に揺れることを経編生地の伸縮性によって吸収し身体への負荷が小さくなる。
【００３９】
本実施形態では、前記繋ぎ部材３，３の中心線同士（符号Ｐ１−Ｐ１線）が一致するように連結固定されている（図１）。そして、前記外周側カーブ２ｂの接線（符号Ｐ２−Ｐ２線）と繋ぎ部材３の中心線とが平行となるような向きで繋ぎ部材３の一端がベルト部材２の一端に連結固定されている（図１）。本実施形態によれば、使用者がベルト部材２の外周側２ｂを首に近い側として肩に掛けて立ったときに繋ぎ部材３が素直に鉛直となり、ベルト部材２が身体にフィットした状態でカメラＣＡを鉛直に吊り下げることとなる（図６を参照）。そして、本実施形態のカーブ付きストラップ１は、ベルト部材２を二つ折りした場合に面対称となる面対称形状であるから、ベルト部材２を肩や首に掛けたときの形状バランスが良くなり、ベルト部材２が身体にフィットするフィット感がさらに良好なものとなる。
【００４０】
図６は、本実施形態のストラップ１をカメラＣＡに繋いで、片側の肩に掛けてそのまま真っ直ぐに吊り下げる着け方をした場合の使用状態を示す斜視図である。図６（ａ）は全体的に表した図であり、図６（ｂ）は、点線で囲んだ箇所を拡大して示している。本実施形態のストラップ１は、ベルト部材２がカーブしていることから、カメラＣＡを繋いだ状態で使用者がベルト部材２の外周側２ｂを首に近い側として肩に掛けてそのまま真っ直ぐに吊り下げる着け方をすると、肩に掛けたときの前記ベルト部材の外周側と内周側との傾斜が、肩の傾斜と、概ね一致するので、前記ベルト部材が身体にフィットし、隙間や歪みがなく、カメラＣＡの重量が鉛直方向（符号Ｆ１で示す方向）の外力となってストラップ１にかかるため、ストラップ１が肩からずり落ち難くなる（図６（ｂ））。
【００４１】
なお、前記ベルト部材２の材質としては、経編生地に限定されるものではなく、布（編物や織物）、皮革、合成樹脂等を用いることが可能である。また、前記繋ぎ部材３としては、帯、ベルト、紐、ストラップ等を適用することができ、その材質としては、布（編物や織物）、皮革、合成樹脂等が挙げられる。そして、前記連結部材４としては、布（編物や織物）や皮革の他にも、合成樹脂が適用でき、前記繋ぎ部材３のベルト部材２への組み付け方法としては、連結部材４の材質に応じて、縫製、溶着、カシメ（金具やリベット止め）等が適用可能である。さらには、連結部材４を省いて、前記繋ぎ部材３をベルト部材２に直接組み付けることも可能である。
【００４２】
（第２の実施の形態）
図４は本発明を適用した第２の実施形態のカーブ付ストラップを示す正面図であり、図５はその側面図である。本実施形態のカーブ付きストラップ１は、カメラ用のストラップであり、幅広で帯状のベルト部材２と、その両端側にそれぞれ配された幅細の繋ぎ部材３，３とを備え、前記ベルト部材２と前記繋ぎ部材３とが連結部材４を介して連結固定されている構成である。前記繋ぎ部材３は、ループ状の繋ぎ紐となっている（図４）。ここで、同一の符号は同じ機能を示しており、その説明を一部省略する。
【００４３】
本実施形態のカーブ付ストラップ１は、ベルト部材２の外周側カーブ２ｂと内周側カーブ２ａとに沿うような向きでベルト部材２と連結部材４と繋ぎ紐３とが一繋がりとなっている。
本実施形態では、繋ぎ部材３が紐状であり、自由自在に曲がることから、使用者が前記ベルト部材２の外周側２ｂを首に近い側として肩に掛けて立ったときに、カメラＣＡに重力が作用し鉛直方向に吊り下げられることとなる。
【００４４】
上述した本発明の実施形態のカーブ付ストラップ１は、カメラ用に限定されるものではなく、帯情報端末等の携帯電子機器、バッグやポーチ等の小物類など、持ち運んでその場で適宜使用することがある物品に広く適用可能である。
【００４５】
上述した実施形態では、熱可塑性の糸で編成された経編生地を加熱しながら矯正してカーブを形成するとしたが、この方法に限定されるものではなく、布（編物や織物）や皮革をカーブ形状に裁断する方法や、合成樹脂やゴム板を金型成形する方法を用いることも可能である。上述した実施形態では、ベルト部材２の両側に繋ぎ部材３，３が連結されている構成で説明したが、この構成に限定されるものではなく、ベルト部材２の一方側にのみ繋ぎ部材３を連結し、ベルト部材２の他方側には、ベルト部材２の一方側と係止させる係止具（留め具）を配する構成とすることも可能である。このように、本発明は、その趣旨を逸脱しない範囲で適宜変更が可能であることはいうまでもない。
【符号の説明】
【００４６】
１                            カーブ付ストラップ、
２                            ベルト部材、
２ａ                          内周側カーブ（内周側）、
２ｂ                          外周側カーブ（外周側）、
３                            繋ぎ部材、
４                            連結部材、
ＣＡ                          カメラ
【要約】
【課題】  肩や首に掛けてカメラ等の物品を吊り下げるストラップに関し、肩に掛けたときに身体にフィットして肩からずり落ち難く、デザイン上もシンプルで好ましいストラップを提供する。
【解決手段】  ストラップ１は、カメラ等の物品に繋がれる幅細の繋ぎ部材３，３が幅広で帯状のベルト部材２の両端側に連結部材４，４を介してそれぞれ連結固定されており、前記ベルト部材２には肩や首周りに沿うような扇形状の外周側カーブ２ｂと、外周側カーブに対応した内周側カーブ２ａが形成されている。そして、前記外周側カーブ２ｂの接線と繋ぎ部材３，３同士の中心線とが平行となるような向きで配されている。
【選択図】  図１【図１】
0005112543.tif 000002
【図２】
0005112543.tif 000003
【図３】
0005112543.tif 000004
【図４】
0005112543.tif 000005
【図５】
0005112543.tif 000006
【図６】
0005112543.tif 000007
【図７】
0005112543.tif 000008
【図８】
0005112543.tif 000009